(57)【特許請求の範囲】
【請求項１】
呼び水を貯えるとともに、この呼び水を吐出する吐出孔をその底壁に有する槽本体と、
前記槽本体の開口縁で囲まれる開口領域に配設され、おねじ部を有する液位検出器を取り付け可能に形成されためねじ部を有する取付座と、
前記槽本体の開口端に該開口を塞ぐように着脱可能に取り付けられるとともに、前記取付座と対向する部分が切欠されてなる蓋体と、
前記槽本体底壁外面にその頭部が溶接により固着され、そのねじ軸が下方に突き出す複数の固定ボルトと、
これら固定ボルトを挿入するボルト孔を複数有し、前記ねじ軸にナットを締結することで、前記槽本体を固定可能に形成された架台と、
前記槽本体の底壁外面であって、前記吐出孔の周囲に固着され、その下端面にめねじが形成されたボルト挿入孔が複数形成された取付フランジと、を有してなり、
前記液位検出器が前記槽本体に取り付けられたまま、前記蓋体を開閉可能としてなることを特徴とする消火ポンプユニット用呼水槽。
【発明の詳細な説明】
【０００１】
【発明の属する技術分野】
本発明は、消火ポンプユニットに組み込まれる消火ポンプユニット用ポンプユニットに関する。
【０００２】
【従来の技術】
ビル等の建物では、スプリンクラー設備等などいった自動消火設備を据え付けて、防火に努めている。
【０００３】
例えばスプリンクラー設備は、例えばスプリンクラーヘッドに圧力水槽を連結して、スプリンクラーヘッドまで所定の圧力の水が充満するようにしておき、火災の発生によりスプリンクラーヘッドが開放すると、水の流出により、圧力水槽の水圧が低下し、それにより消火ポンプユニットのポンプが起動して、貯水槽内に貯めてある水を汲み上げてスプリンクラーヘッドから放射させるようにしてある。
【０００４】
このような消火設備の消火ポンプユニットは、多くは呼水を貯える呼水槽をポンプと組合わせて、ポンプおよびポンプ配管内を呼水で満水させる構造が用いられる。
【０００５】
すなわち、消火ポンプユニットには、ポンプが設置されたベースを有し、このベースの上面に架台を据え付け、この架台に例えば鋼板製の呼水槽を設置する構造が用いられている。通常、図６（ａ），（ｂ）に示されるように呼水槽ｄは、架台ａに支持される槽本体ｂと、この槽本体ｂの開口部を着脱可能に塞ぐ蓋体ｃとを組合わせて、外部から異物が侵入しないようにしてある。そして、この呼水槽ｄに、呼水を補給する機器、例えばボールタップｅを取り付けたり、槽内の呼水を底部からポンプ配管へ導く呼水配管ｇを接続したり、貯えた呼水の状態を知るために液位検出器、例えば液位検出用の電極棒ｈを取り付けたりしている。
【０００６】
具体的には、従来、図６（ａ），（ｂ）に示されるように呼水槽ｄでは、電極棒ｈの取付けは、呼水槽ｄの蓋体ｃに、例えば内周面にめねじｉが形成された取付環ｊを貫通固定しておき、これに電極棒ｈが保持された電極保持器ｋをねじ込み固定して、電極棒ｈを槽内に挿入配置する構造が用いられている。
【０００７】
また呼水槽ｄの架台ａへの取り付けは、槽本体ｂの底壁の周部に、側方へ張り出る支持脚ｍを形成しておき、この支持脚ｍを架台ａの上面に載せ、固定ボルトｎの先端部を、この支持脚ｍに形成してあるボルト孔（図示しない）から、架台上面をなす部材に形成してあるボルト挿通孔（図示しない）へ挿入して、貫通した固定ボルトｎの先端部をナット（図示しない）で固定する構造が用いられている。
【０００８】
また呼水配管ｈの接続には、固定に必要な作業スペースを確保するために、呼水を吐出する吐出孔ｑのある槽本体ｂの底壁外面に、短管ｒを介して、ボルト挿入孔（図示しない）を有する取付フランジｔを固着しておき、この取付フランジｔと呼水配管ｏの先端に接合してあるフランジｕとを、両者のボルト挿入孔へ挿入されるボルトｖと同ボルトｖに締結されるナットｗで固定する構造が用いられている。
【０００９】
【発明が解決しようとする課題】
消火ポンプユニットは、点検作業が行いやすいこと、全体ができるだけ小形であることが望まれる。
【００１０】
このためには、消火ポンプユニットに組み付く呼水槽ｄは、消火ポンプユニットに組み付いたまま蓋体ｃが容易に開けられること、消火ポンプユニットに組み付く架台ａが小さい構造であることが求められる。
【００１１】
しかしながら、上記のように蓋体ｃに電極棒ｈを取り付ける構造だと、消火ポンプユニットに組み付くときは、全長の長い電極棒ｈが槽本体ｂ内に挿入されたまま、電極保持器ｋと消火ポンプユニットの制御盤との間が最短のケーブルｘで配線されるようになる。このため、水位の確認や内部点検などのために呼水槽ｄの蓋体ｃを開けるときは、ケーブルｘを蓋体ｃから外さないと槽本体ｂの内部が見えないので、槽内の確認や点検の作業性が良くない。
【００１２】
一方、槽本体ｂの側方に張り出している支持脚ｍを架台ａに固定する構造は、槽外へ張り出す支持脚ｍの張出し寸法を考慮して架台ａの上部の大きさを定めるために、図６（ｂ）に示されるように架台ａの外形は、槽本体ｂの左右方向の寸法より支持脚ｍの長さ分、大きくなってしまう。つまり、消火ポンプユニットに組み付くときは、図６（ｂ）中の左右幅寸法を示す符号Ａのように支持脚ｍを考慮した外形の架台ａが必要となり、消火ポンプユニット全体が大形になる傾向にある。
【００１３】
他方、槽本体ｂの底壁に、短管ｒを介して、取付フランジｔを取り付けて、呼水配管ｇを接続可能とする構造は、呼水槽ｄの全体の高さは、槽自体の高さ寸法に加え、短管ｒの長さ、すなわち短管ｒの周りに形成される作業スペース分を加えた寸法となる。このために、消火ポンプユニットに組み付くときは、取付フランジｔに取り付く呼水配管ｑが架台ａの下側に配置されるポンプの各部と干渉しないよう、短管ｒの長さ分、架台高さを高くした外形の架台ａが必要となり、同様に消火ポンプユニット全体が大形になる傾向にある。
【００１４】
本発明は上記事情に着目してなされたもので、その第１の目的とするところは、消火ポンプユニットに組み付けてある状態から、液位検出器に影響されずに、容易に呼水槽の蓋体が開けられるようにした消火ポンプユニット用呼水槽を提供することにある。
【００１５】
また同じく第２の目的とするところは、上記目的に加え、さらに呼水槽が組み付く消火ポンプユニットの小形化が図れるようにした消火ポンプユニット用呼水槽を提供することにある。
【００１６】
【課題を解決するための手段】
上記第１の目的を達成するために請求項１に記載した消火ポンプユニット用呼水槽は、槽本体の開口縁で囲まれる開口領域に配設された、液位検出器が取り付く取付座と、取付座と対向する部分が切欠された蓋体とを組合わせて、液位検出器が槽本体に取り付けられたまま、蓋体を開閉可能としたことにある。
【００１７】
これにより、水位検出器付の呼水槽が消火ポンプユニットに組み付いた状態から、呼水槽の水位の確認や内部点検を行うときは、槽本体側に水位検出器が組み付いているから、液位検出器からケーブルを外すような面倒な作業を必要とせずに、蓋体を開ける作業だけですむ。
【００１８】
上記第２の目的を達成するために消火ポンプユニット用呼水槽は、槽本体の底壁外面の各部に、該槽本体を固定するための固定ボルトを下方へ突設する構成を採用して、槽本体の底面から突き出る固定ボルトで、呼水槽を、同呼水槽を載せる架台と直接、固定するようにした。
【００１９】
これにより、呼水槽は、槽本体から側方へ張り出す部材（支持脚）を用いずに、架台との間で固定がなされるので、呼水槽が設置される架台は外形が小さくてすみ、ひいては呼水槽が組み付く消火ポンプユニットの小形化が図れるようになる。
【００２０】
また、消火ポンプユニット用呼水槽は、吐出孔を有する槽本体の底壁外面に、吐出孔を囲むよう、内周面にめねじが形成されたボルト挿入孔をもつ取付フランジが形成する構成を採用することにより、取付フランジに呼水配管のフランジを重ね合わせ、同フランジのボルト挿入孔から槽本体側の取付フランジのボルト挿入孔へボルトを螺挿することで、呼水配管との接続が行われる。つまり、別途、取付フランジの周りに作業スペースを必要とせずに、槽本体の取付フランジに呼水配管が取付けられるようになる。
【００２１】
これにより、作業スペース確保のための短管を用いずに、呼水配管が槽本体に取り付けられるようになるので、呼水槽が設置される架台は、架台高さが低くてすみ、ひいては呼水槽が組み付く消火ポンプユニットの小形化が図れるようになる。
【００２２】
【発明の実施の形態】
以下、本発明を図１ないし図５に示す一実施形態にもとづいて説明する。
【００２３】
図１は、例えば建物に設置してある自動消火設備、例えばスプリンクラー設備に組み合わさる消火ポンプユニットの正面図を示している。
【００２４】
図中１は、消火ポンプユニットを収容している室の床面に設置されたポンプベース（ベース）である。このポンプベース１の上面には、例えば電動駆動式のポンプ２が据え付けられている。ポンプ２は、例えば左側にポンプ部３が配置され、右側に同ポンプ部３を直動する電動機４が配置された構造が用いられている。なお、ポンプ部３の吸込口（図示しない）に有る吸込フランジ５は左側に向き、吐出口（図示しない）に有る吐出フランジ６は上側に向いている。このうちの吸込フランジ５は、貯水槽（図示しない）から延びる吸込配管７が接続され、貯水槽（図示しない）に貯水された水を吸込めるようにしてある。また吐出フランジ６は、上方へ順に連なる、可とう継手８、逆止弁９、仕切弁１０（開閉弁）を介して、例えばスプリンクラー設備の圧力水槽（図示しない）に接続してあり、貯水槽内の水がスプリンクラー設備のスプリンクラーヘッド（図示しない）へ送られるようにしてある。具体的には、スプリンクラー設備は、圧力水槽によりスプリンクラーヘッドまで所定の圧力の水が充満されていて、火災の発生によりスプリンクラーヘッドが開放し、水の流出により圧力水槽の水圧が低下すると、ポンプ２が起動して、貯水槽内の水がスプリンクラーから放射されるようにしてある。
【００２５】
ポンプベース１の右側には、架台１１が取り付けられている。架台１１は、例えばアングル部材を箱枠形に組んで構成してある。この架台１１の上部には、同架台１１の上部開口を塞ぐよう、本発明の要部となる呼水槽、例えば箱形をなした鋼板製の呼水槽１２が設置してある。この呼水槽１２の単体の構造が図４に示され、呼水槽１２の各部の構造が図５に示されている。
【００２６】
呼水槽１２について説明すれば、呼水槽１２は、図４および図５に示されるように上方が開口した箱形の槽本体１３と、この槽本体１３の開口形状と対応した矩形板状の蓋体１４とを有して構成してある。蓋体１４の外周部には、槽本体１３の外面と重なる縁部１４ａが形成されていて、蓋体１４を槽本体１３の開口形状に合わせて開口端に載せると、槽本体１３の開口が塞げる。むろん、蓋体１４を上方へ持ち上げると、槽本体１３の開口が開放される。つまり、蓋体１４は開閉可能となっている。
【００２７】
槽本体１３の底壁の外周側には、架台１１の上部枠（四角形状）を形成するアングル部材１１ａの配置にならって、複数の固定ボルト１５（図面では代表的な箇所しか図示せず）が取り付けられている。詳しくは、固定ボルト１５は、いずれもボルト頭部の厚みが薄いボルト部材が用いてある。これら各ボルト部材のボルト頭部が槽本体１３の底壁外面に固着、例えば溶接で固定され、ねじ軸１５ａを槽本体１３の底壁外面から下方へ突き出させている。そして、架台１１との固定は、図５に示されるように各固定ボルト１５のねじ軸１５ａを、架台１１のアングル部材１１ａに形成してあるボルト孔１１ｂに挿入し、このアングル部材１１ａを貫通したねじ軸１５ａの端部をナット１６で締結することによって行われ、これで架台１１の上面に槽本体１３を固定させてある（図１）。
【００２８】
槽本体１３の側壁には、ボールタップ１７が付いた補給管１８が組み付けてある。この補給管１８は、呼水の補給を行う管路、例えば水道配管１９が接続される。そして、このボールタップ１７の所定水位に応じた開閉動作により、開閉槽本体１３内に所要水量の呼水が貯められるようにしている。
【００２９】
槽本体１３の底壁には、同底壁から槽本体１３内に延びるオーバーフロー管２０が組み込んである。このオーバーフロー管２０の下端部は、例えば貯水槽につながる排水管（図示しない）に接続されている。またこのオーバーフロー管２０の上端部には、ポンプ２の吐出配管から分岐された逃し用の分岐管２１の先端部が、槽本体１３の側壁を貫通して、配管されている。これで、ポンプ２の運転の際、水温上昇防止となる水量が、分岐管２１、オーバーフロー管２０を通じて回収されるようにしてある。
【００３０】
さらに槽本体１３の底壁外面には、同底壁に形成した吐出孔２２（槽内の呼水を外部へ吐出させる孔）を囲むよう、取付フランジ２３が直接固定、例えば溶接で固着してある。この取付フランジ２３には、円周方向沿いに複数のボルト挿入孔２４が形成されている。これらボルト挿入孔２４はいずれも内周面にめねじ２４ａが形成してある。そして、この取付フランジ２３に、ポンプ２の吐出配管につながる呼水配管２５の他端部が接続してある。具体的には、呼水配管２５の他端部は、ボルト挿入孔２６ａが形成されたフランジ２６が接合されている。そして、呼水配管２５の接続は、図５に示されるようにボルト挿入孔同士が合致するよう呼水配管２５のフランジ２６を取付フランジ２３に重ね合わせて、フランジ２６のボルト挿入孔２６ａから取付フランジ２３のボルト挿入孔、すなわち、めねじ２４ａが内周面に形成されたボルト挿入孔２４へボルト２７を螺挿することによって、槽本体１３の取付フランジ２３と接続させてある。
【００３１】
また槽本体１３の開口縁１３ａで囲まれる開口領域、例えば補給管２１、オーバーフロー管２０が有る地点から遠ざかる地点となる開口隅部には、電極保持器２８で保持された水位検出用の長尺な電極棒２９（液位検出器に相当）を支持する取付座３０が取り付けられている。取付座３０は、図４および図５に示されるように開口隅部を形成する直角に交わる両開口縁と固着、例えば溶接で固定された支持プレート、例えば矩形状の小板片３１を有している。この小板片３１は、槽本体１３の開口端と面一に位置決められている。これで、小板片３１の上面と槽本体１３の開口縁とが同一の蓋体１４に重なり合うようにしてある。この小板片３１の中央には、電極保持器２８と組み合う取付部材、例えば内周面にめねじ３２が形成された取付環３３が貫通固定されている。これで、取付座３０の全体（小板片１３，取付環３３）を形成している。
【００３２】
ここで、電極棒２９が保持された電極保持器２８の本体部下段の外周面には、取付環３３に組み合うおねじ２８ａが形成してあるので、電極保持器２８のおねじ２８ａを取付環３３へねじ込んで固定することによって、図１に示されるように水位検出用の電極棒２９は、槽本体開口の隅部から槽内に挿入配置される。この電極棒２９は、電極保持器２８から延びるケーブル３４（図５にだけ図示）で、呼水槽１２の背面に組み付く制御盤（図示しない）に接続されていて、呼水槽１２内で貯えた呼水の状態（減水など）を制御盤へ出力させるようにしてある。
【００３３】
また蓋体１４は、図４および図５に示されるように開口の隅部に有る取付座３０と対向する角部が切欠されている。具体的には、切欠部１４ｂは、取付環３３を含む取付環３３の根元部周辺が表れるよう、蓋体１４の角部を逆Ｌ字形に切欠してなる。これにより、蓋体１４は、図２に示されるように取付環３３の周りの小板片部分、槽本体１３の開口縁と重なり合って、取付環３３および取付環３３の根元部周辺を外部に露出させつつ槽本体１３の開口全体を塞いでいる。
【００３４】
つぎに作用について説明する。
【００３５】
消火ポンプユニットは、呼水槽１２に溜まる呼水がポンプ配管内に充満されていて、即、ポンプ運転が起動できる状態にしてある。
【００３６】
この状態から、火災の発生により、スプリンクラー設備のスプリンクラーヘッドが開放すると、水が流出し、圧力水槽の水圧が低下する。すると、水圧低下により、消火ポンプユニットのポンプ２が起動する。これにより、貯水槽内に貯めてある水を汲み上げ、スプリンクラーヘッドから放射させる。
【００３７】
消火ポンプユニットでは、こうした消火運転が実行されるようにするために、呼水槽１２の水位確認をしたり、同呼水槽１２の内部点検を行うことが求められる。
【００３８】
このときには、作業員は、呼水槽１２の蓋体１４を開けて、槽本体１３の内部を見る。
【００３９】
このとき、槽本体１３には、水位検出用の電極棒２９が組み付けてあるから、図３に示されるように蓋体１４を持ち上げさえすれば、従来のような電極保持器２８からケーブル３４を外す面倒な作業を必要とせずに、容易に蓋体１４が開けられる。
【００４０】
それ故、容易に呼水の水位確認、呼水槽１２の内部点検を行うことができる。
【００４１】
しかも、槽本体１３の開口縁に、小板片３１（プレート）を介して取付環３３を取り付け、蓋体１４に、取付環３３が露出するよう切欠部１４ｂを形成して、蓋体１４だけを開けられる構造は、蓋体１４の裏面が、槽本体１３の開口縁１３ａおよび取付環３３周りの小板片部分と重なり、槽本体１３の開口全体を塞ぐので、異物が内部に侵入することはない。
【００４２】
また槽本体１３は、底面から下方へ突き出る固定ボルト１５を用いて、同ボルト１５で、架台１１の上部部材、すなわちアングル部材１１ａと直接、締結する構造を採用したので、従来のように槽本体側方へ張り出す部材（支持脚）を用いずに架台１１との間で固定を行うことができる。その故、架台１１は左右方向の寸法Ｂ（図１中に図示）が小さくてすみ、その分、架台１１の外形が小さくなるので、呼水槽１２が組み付く消火ポンプユニットの小形化が図れる。しかも、支持脚が不要なので、部品点数が少なくてすみ、コスト的に安価となる。
【００４３】
また槽本体１３の底壁外面に、めねじ加工が施されたボルト挿入孔２４をもつ取付フランジ２３を取り付けて、呼水配管２５が直に槽本体１３に取り付く構造を採用したので、別途、取付フランジ２３の周りに作業スペースを必要とせずに、呼水配管２５を取付けることができる。つまり、作業スペース確保のための短管を用いずに、呼水配管２５を配管することができる。それ故、架台１１は、架台高さが低くてすみ、その分、架台１１の外形が小さくなるので、呼水槽１２が組み付く消火ポンプユニットの小形化が図れる。しかも、短管が不要なので、部品点数が少なくてすみ、コスト的に安価となる。
【００４４】
こうした呼水槽１２の採用により、点検作業が行いやすく、全体ができるだけ小形にした安価な消火ポンプユニットが提供できる。
【００４５】
なお、一実施形態では、取付座３０を、槽本体１３の開口隅部に開口縁と連続するように取り付けた例を挙げたが、これに限らず、槽本体１３の開口縁から離した地点に取付座３０を取り付けてもよい。
【００４６】
【発明の効果】
以上説明したように請求項１に記載の発明によれば、槽本体側に水位検出器が組み付いているから、呼水槽の水位確認や内部点検などにより、呼水槽の蓋体を開けるときは、液位検出器からケーブルを外すような面倒な作業を必要とせず、つまり呼水槽に組み付く液位検出器に影響されずに、容易に蓋体を開けことができる。
【００４７】
したがって、消火ポンプユニットの取扱性が図れる。
【００４８】
さらに上記効果に加え、呼水槽は、槽本体から側方へ張り出す部材（支持脚）を用いずに、呼水槽の下面から突き出た固定ボルトと架台との間で、直接、固定がなされるので、架台は横方向が小さく外形が小さくてすむといった効果を奏し、架台が小形になる分、呼水槽が組み付く消火ポンプユニットの小形化が図れる。しかも、支持脚が不要なので、部品点数が少なくてすみ、コスト的にも優れる。
【００４９】
さらに上記効果に加え、作業スペース確保のための短管を用いずに、呼水配管が槽本体に取り付けられるようになるので、架台は架台高さが低く外形が小さくすむといった効果を奏し、架台が小形になる分、呼水槽が組み付く消火ポンプユニットの小形化が図れる。しかも、短管が不要なので、部品点数が少なくてすみ、コスト的にも優れる。
【図面の簡単な説明】
【図１】本発明の一実施形態に係る呼水槽を、該呼水槽を組み付けた消火ポンプユニットと共に示す正面図。
【図２】図１中のＸ−Ｘ方向から見た呼水槽の平面図。
【図３】呼水槽の蓋体を開けたときの状態を説明するための断面図。
【図４】単体の呼水槽の構造を説明するための図。
【図５】呼水槽の各部の構造を説明するための分解斜視図。
【図６】従来、消火ポンプユニットに組み付けられる呼水槽を説明するための図。
【符号の説明】
１…ポンプベース
２…ポンプ
１１…架台
１２…呼水槽
１３…槽本体
１４…蓋体
１４ｂ…切欠部
１５…固定ボルト
２２…吐出孔
２３…取付フランジ
２４…めねじ付ボルト挿入孔
２５…呼水配管
２８…電極保持器
２９…電極棒（液位検出器）
３０…取付座
３１…小板片（支持プレート）
３３…取付環。
【図１】
0004064575.tif 000002
【図２】
0004064575.tif 000003
【図３】
0004064575.tif 000004
【図４】
0004064575.tif 000005
【図５】
0004064575.tif 000006
【図６】
0004064575.tif 000007